(57)【要約】      （修正有）【課題】作業者の熟練度によらず、統一された復旧手段により、故障時の対処を迅速に行うことができるようにするために、作業者に対し復旧の支援となる情報を提示することができる電力監視装置、電力監視装置用プログラム、電力監視方法を提供する。【解決手段】電力監視装置は、電力設備の状態を示す状態情報を受信する通信部１１と、過去の故障情報を、故障案件ごとの、電力設備、故障内容を示す故障項目、故障の対処方法とともに記憶する第１の記憶部１２と、第１の記憶部１２に記憶された過去の故障情報に基づき、通信部１１にて受信された状態情報にかかる電力設備が故障であるかを判断し、故障であると判断した場合は、第１の記憶部１２に記憶された過去の故障情報の中の、一致する故障項目を有する故障案件の故障の対処方法を含む情報を抽出する故障原因判定部１４と、を有する。【選択図】図１
2018182947.tif 000002
【特許請求の範囲】
【請求項１】
電力設備の状態を示す状態情報を受信する通信部と、
過去の故障情報を、故障案件ごとの、電力設備、故障内容を示す故障項目、故障の対処方法とともに記憶する第１の記憶部と、
前記第１の記憶部に記憶された過去の故障情報に基づき、前記通信部にて受信された状態情報にかかる前記電力設備が故障であるかを判断し、故障であると判断した場合は、前記第１の記憶部に記憶された前記過去の故障情報の中の、一致する故障項目を有する故障案件の故障の対処方法を含む情報を抽出する故障原因判定部と、
を有する電力監視装置。
【請求項２】
前記電力設備ごとに電力設備に関する情報を記憶する第２の記憶部と、
前記第１の記憶部は、併せて、故障案件ごとに故障が発生した電力設備に関する情報を記憶しており、
前記故障原因判定部により抽出された故障案件の、前記第１の記憶部に記憶された、電力設備に関する情報と、前記故障原因判定部により故障であると判断された電力設備に関する、前記第２の記憶部から取得した電力設備に関する情報との類似度を数値化した対処スコアを算出し、
算出された前記対処スコアの順に、過去の故障案件を配列する優先順位算出部と、
前記優先順位算出部により配列された過去の故障案件に基づき、対処方法を含む復旧支援情報を出力する、出力部と、
を有する請求項１に記載の電力監視装置。
【請求項３】
前記第２の記憶部に記憶された電力設備に関する情報は、対象となる電力設備の、
電力設備の基本情報を含む設備情報、
設置条件に関する情報を含む環境情報、
電力設備の負荷に関する情報を含む負荷情報、
電力設備の点検に関する情報を含む点検情報、
のうち少なくとも一つを含む請求項２に記載の電力監視装置。
【請求項４】
電力設備の状態を示す状態情報を受信する通信ステップと、
第１の記憶部は、過去の故障情報を、故障案件ごとの、電力設備、故障内容を示す故障項目、故障の対処方法とともに記憶しており、
前記第１の記憶部に記憶された過去の故障情報に基づき、前記通信ステップにて受信された状態情報にかかる前記電力設備が故障であるかを判断し、故障であると判断した場合は、前記第１の記憶部に記憶された前記過去の故障情報の中の、一致する故障項目を有する故障案件の故障の対処方法を含む情報を抽出する故障原因判定ステップと、
を有する電力監視装置用プログラム。
【請求項５】
第２の記憶部は、前記電力設備ごとに電力設備に関する情報を記憶しており、
前記第１の記憶部は、併せて、故障案件ごとに故障が発生した電力設備に関する情報を記憶しており、
前記故障原因判定ステップにより抽出された故障案件の、前記第１の記憶部に記憶された、電力設備に関する情報と、前記故障原因判定ステップにより故障であると判断された電力設備に関する、前記第２の記憶部から取得した電力設備に関する情報との類似度を数値化した対処スコアを算出し、
算出された前記対処スコアの順に、過去の故障案件を配列する優先順位算出ステップと、
前記優先順位算出ステップにより配列された過去の故障案件に基づき、対処方法を含む復旧支援情報を出力する、出力ステップと、
を有する請求項４に記載の電力監視装置用プログラム。
【請求項６】
電力設備の状態を示す状態情報を受信する通信手段と、
過去の故障情報を、故障案件ごとの、電力設備、故障内容を示す故障項目、故障の対処方法とともに記憶する第１の記憶手段と、
前記第１の記憶手段に記憶された過去の故障情報に基づき、前記通信手段にて受信された状態情報にかかる前記電力設備が故障であるかを判断し、故障であると判断した場合は、前記第１の記憶手段に記憶された前記過去の故障情報の中の、一致する故障項目を有する故障案件の故障の対処方法を含む情報を抽出する故障原因判定手段と、
を有する電力監視方法。
【請求項７】
前記電力設備ごとに電力設備に関する情報を記憶する第２の記憶手段と、
前記第１の記憶手段は、併せて、故障案件ごとに故障が発生した電力設備に関する情報を記憶しており、
前記故障原因判定手段により抽出された故障案件の、前記第１の記憶手段に記憶された、電力設備に関する情報と、前記故障原因判定手段により故障であると判断された電力設備に関する、前記第２の記憶手段から取得した電力設備に関する情報との類似度を数値化した対処スコアを算出し、
算出された前記対処スコアの順に、過去の故障案件を配列する優先順位算出手段と、
前記優先順位算出手段により配列された過去の故障案件に基づき、対処方法を含む復旧支援情報を出力する、出力手段と、
を有する請求項６に記載の電力監視方法。
【発明の詳細な説明】
【技術分野】
【０００１】
本実施形態は電力系統の監視を行う電力監視装置、電力監視装置用プログラム、電力監視方法に関する。
【背景技術】
【０００２】
電力を安定供給するために電力系統に電力監視装置が設置される。この種の電力監視装置としては、送変電設備の電気量を計測し、電力系統に設置された各電力設備機器および電力系統の故障を検出する電力監視装置が知られている。
【先行技術文献】
【特許文献】
【０００３】
【特許文献１】特開２０１６−２５７９９公報
【発明の概要】
【発明が解決しようとする課題】
【０００４】
電力監視装置は、電力を安定供給するため、電力系統に設置された各電力設備機器および電力系統（以降、電力設備と総称するものとする）の故障を検出する。このため、電力監視装置において故障が検出された場合、迅速に復旧されることが必要とされる。従来の電力監視装置では、電力系統の故障が検出された場合、警報が、作業者に報知される。
【０００５】
しかしながら、電力設備の故障の対処方法は、作業者に委ねられる。このため、故障時に熟練した作業者が不在である場合など、電力系統に設置された電力設備の復旧に長時間を要する恐れがあった。また、選択される対処方法は、作業者の熟練度により異なり不統一となる恐れがあった。
【０００６】
電力設備の復旧に長時間を要することは、電力系統による電力の供給や電力系統の監視が長時間行われないこととなり、不都合であった。電力設備の復旧手段の不統一は、内在する故障要因を放置する可能性があり、電力の安定供給を行うにあたり不都合であった。
【０００７】
本実施形態では、作業者の熟練度によらず、統一された復旧手段により、故障時の対処を迅速に行うことができるようにするために、作業者に対し復旧の支援となる情報を提示することができる電力監視装置、電力監視装置用プログラム、電力監視方法を提供することを目的とする。
【課題を解決するための手段】
【０００８】
本実施形態の電力監視装置は、次のような構成を有することを特徴とする。
（１）電力設備の状態を示す状態情報を受信する通信部。
（２）過去の故障情報を、故障案件ごとの、電力設備、故障内容を示す故障項目、故障の対処方法とともに記憶する第１の記憶部。
（３）前記第１の記憶部に記憶された過去の故障情報に基づき、前記通信部にて受信された状態情報にかかる前記電力設備が故障であるかを判断し、故障であると判断した場合は、前記第１の記憶部に記憶された前記過去の故障情報の中の、一致する故障項目を有する故障案件の故障の対処方法を含む情報を抽出する故障原因判定部。
また、上記の各部の動作を実行するステップを有する電力監視装置用プログラム、電力監視方法も本実施形態に含まれる。
【図面の簡単な説明】
【０００９】
【図１】第１実施形態にかかる電力監視装置の構成を示す図
【図２】第１実施形態にかかる電力監視装置用プログラムの故障原因判断のフローを示す図
【図３】第１実施形態にかかる電力監視装置用プログラムの優先順位判断のフローを示す図
【図４】第１実施形態にかかる電力監視装置の故障情報ａにかかるデータの構成図
【図５】第１実施形態にかかる電力監視装置の対処スコアの算出を説明する図
【図６】第１実施形態にかかる電力監視装置の復旧支援情報ｎを示す図
【発明を実施するための形態】
【００１０】
［１．第１実施形態］
［１−１．構成］
図１を参照して本実施形態の一例として、電力監視装置について説明する。
【００１１】
（１）電力監視装置が接続されるシステムの全体構成
本電力監視装置１は、中央監視装置２、出力装置３に接続される。電力監視装置１、中央監視装置２、出力装置３は、電力系統の監視制御を行う給電指令所、系統制御所、集中制御所、変電所などの指令室、訓練室などに設置される。電力監視装置１は、中央監視装置２、出力装置３と、それぞれ通信回線４および５により接続される。
【００１２】
本電力監視装置１において、以下のデータが、入力、出力、送受信または記憶される。
ｍ．状態情報
ｋ．故障抽出情報
ｎ．復旧支援情報
【００１３】
中央監視装置２は、大型の表示装置がコンソールに収納された電力系統の監視制御を行うための装置である。中央監視装置２は、具体的には主回路機器の制御を行う連動ＰＬＣ（プログラマブルロジックコントロール）盤、系統保護を行う保護継電器盤、系統の電気量を計測する計測盤等の機器である。中央監視装置２は、電力設備の状態を検出し状態情報ｍとして、通信回線４を介し、電力監視装置１に出力する。
【００１４】
電力監視装置１は、パーソナルコンピュータ等の計算機により構成された装置である。電力監視装置１は、中央監視装置２から通信回線４を介し、電力設備の状態を示す状態情報ｍを受信する。電力監視装置１は、電力設備の故障の復旧に関する復旧支援情報ｎを、通信回線５を介し出力装置３に出力する。電力監視装置１の構成は、後述する。
【００１５】
出力装置３は、表示装置を有する専用の監視装置またはパーソナルコンピュータである。出力装置３は、通信回線５を介し、電力監視装置１から復旧支援情報ｎを受信する。出力装置３は、受信した復旧支援情報ｎを表示する。
【００１６】
通信回線４および５は、社内イントラネット、インターネット等により構成された通信回線である。通信回線４は、電力監視装置１と中央監視装置２に接続され、通信回線５は、電力監視装置１と出力装置３に接続され、データの送信、受信に使用される。
【００１７】
（２）電力監視装置１の構成
電力監視装置１は、パーソナルコンピュータ等の計算機により構成される。電力監視装置１は、通信部１１、請求項中の第１の記憶部である故障情報記憶部１２、請求項中の第２の記憶部である系統情報記憶部１３、故障原因判定部１４、優先順位算出部１５、出力部１６、制御部１７を有する。
【００１８】
通信部１１は、送受信回路により構成される。通信部１１は、入力側が通信回線４を介し中央監視装置２に、出力側が制御部１７に接続される。通信部１１は、中央監視装置２から送信された、電力設備の状態を示す状態情報ｍを受信する。
【００１９】
故障情報記憶部１２は、半導体メモリやハードディスクのような記憶媒体にて構成され、電力監視装置１を構成する計算機内に配置される。故障情報記憶部１２は、制御部１７に制御され故障情報ａを記憶する。故障情報ａは、過去の故障に関する情報である以下の情報を累積記憶する。
ａ１．故障情報ＩＤ
ａ２．故障項目
ａ３．故障原因
ａ４．対象となる故障の対処方法
ａ５．対象となる故障の設備情報
ａ６．対象となる故障の環境情報
ａ７．対象となる故障の負荷情報
ａ８．対象となる故障の点検情報
【００２０】
系統情報記憶部１３は、半導体メモリやハードディスクのような記憶媒体にて構成され、電力監視装置１を構成する計算機内に配置される。系統情報記憶部１３は、制御部１７に制御され系統情報を記憶する。系統情報は、電力設備の状態に関する以下の情報を記憶する。
ｂ．設備情報
ｃ．環境情報
ｄ．負荷情報
ｅ．点検情報
【００２１】
設備情報ｂは、電力設備の基本情報として以下の情報を有する。
ｂ１．設備のＩＤ
ｂ２．単線結線図
ｂ３．主要機器
ｂ４．運用期間
【００２２】
環境情報ｃは、電力設備の設置条件に関する以下の情報を有する。
ｃ１．設置場所
ｃ２．設置場所の温度、湿度
ｃ３．設置場所の空調の有無
ｃ４．設置場所の海岸からの距離
【００２３】
負荷情報ｄは、電力設備の負荷に関する以下の情報を有する。
ｄ１．負荷の種類
ｄ２．負荷容量
【００２４】
点検情報ｅは、電力設備の点検に関する以下の情報を有する。
ｅ１．点検日時
ｅ２．点検内容
ｅ３．点検結果
【００２５】
故障原因判定部１４は、電力監視装置１を構成する計算機内の演算部または、ソフトウェアモジュールにより構成される。故障原因判定部１４は、故障情報記憶部１２に記憶された故障情報ａと、通信部１１により受信された状態情報ｍに基づき、状態情報ｍにかかる電力設備は故障であるかの判断を行う。さらに、状態情報ｍにかかる情報が故障を示すものである場合、故障情報ａに基づき故障抽出情報ｋを抽出し出力する。
【００２６】
優先順位算出部１５は、電力監視装置１を構成する計算機内の演算部または、ソフトウェアモジュールにより構成される。優先順位算出部１５は、故障原因判定部１４により故障であると判断された場合、故障原因判定部１４により出力された故障抽出情報ｋ、系統情報記憶部１３に記憶された設備情報ｂ、環境情報ｃ、負荷情報ｄ、点検情報ｅに基づき、効果的な復旧支援情報ｎを提供するため対処スコアを算出する。対処スコアは、対処方法の有効性の度合いを示すスコアである。つまり、対処スコアの数値が高いほど、電力設備の復旧に関し、有効な対処方法であると判断される。優先順位算出部１５は、算出された対処スコアに基づき復旧支援情報ｎを作成する。
【００２７】
出力部１６は、送受信回路により構成される。出力部１６は、入力側が制御部１７に、出力側が出力装置３に接続される。出力部１６は、制御部１７に制御され、出力装置３に復旧支援情報ｎを送信する。復旧支援情報ｎは、以下の情報を含む。
ｎ１．故障箇所
ｎ２．原因箇所
ｎ３．故障原因
ｎ４．対処方法
【００２８】
制御部１７は、ＣＰＵ回路により構成される。制御部１７は、コンピュータプログラムを内蔵し、通信部１１、故障情報記憶部１２、系統情報記憶部１３、故障原因判定部１４、優先順位算出部１５、出力部１６の制御を行う。
【００２９】
［１−２．作用］
次に、本実施形態の電力監視装置１の動作を図１〜６に基づき説明する。
【００３０】
（１）初期状態
電力監視装置１の故障情報記憶部１２には、電力設備の過去の故障情報ａが記憶されている。故障情報ａは、故障案件ごとにａ１〜ａ７の情報が記憶されている。過去の故障情報である故障情報ａは、発生日時順に故障情報の識別番号であるａ１が付与され故障案件ごとに記憶されている。図４に故障情報ａにかかるデータの構成を示す。
【００３１】
故障項目ａ２は、故障が発生した電力設備の名称および故障内容を示す情報である。例えば「継電器Ｘ号、温度上昇」のように記憶される。
【００３２】
故障原因ａ３は、過去の故障において解明された故障の原因を示す情報である。例えば「制御ボードＣＰＵ静電気により破損」のように記憶される。
【００３３】
対象となる故障の対処方法ａ４は、過去の故障において使用された故障に対する対処方法を示す情報である。例えば「制御ボードＣＰＵを交換してください」のように記憶される。
【００３４】
ａ５〜ａ８は、故障が発生した電力設備のａ５〜ａ８に関する情報である。ａ５〜ａ８は、系統情報記憶部１３に記憶されたｂ〜ｅの各情報に基づき、ＩＤ番号であるａ１が付与された故障案件ごとに記憶されている。
【００３５】
電力監視装置１の系統情報記憶部１３には、作業者により予め設定された電力設備の設備情報ｂ、環境情報ｃ、負荷情報ｄ、点検情報ｅが記憶されている。
【００３６】
設備情報ｂは、ｂ１〜ｂ４の情報を有する。設備のＩＤｂ１は、電力設備に付与された識別用コードである。単線結線図ｂ２は、電力設備の分岐に関する情報である。
【００３７】
主要機器ｂ３は、電力設備を構成する主要部品に関する情報である。例えば「開閉器ＡＡ、熱電対ＢＢ」のように記憶される。
【００３８】
運用期間ｂ４は、電力設備が運用された期間を示す情報である。例えば「３年」のように記憶される。
【００３９】
環境情報ｃは、ｃ１〜ｃ４の情報を有する。
【００４０】
設置場所ｃ１は、電力設備が設置された場所を示す情報である。例えば「屋外、直射日光あり」のように記憶される。
【００４１】
設置場所の温度、湿度ｃ２は、電力設備が設置された場所の温度、湿度を示す情報である。例えば「２０℃〜３０℃、８０％〜１００％」のように記憶される。
【００４２】
設置場所の空調の有無ｃ３は、電力設備が設置された場所の空調の有無を示す情報である。例えば「空調無」のように記憶される。
【００４３】
設置場所の海岸からの距離ｃ４は、電力設備が設置された場所の海岸からの距離を示す情報である。例えば「４００ｍ」のように記憶される。
【００４４】
負荷情報ｄは、ｄ１〜ｄ２の情報を有する。
【００４５】
負荷の種類ｄ１は、電力設備に接続された負荷の種類を示す情報である。例えば「電動機」のように記憶される。
【００４６】
負荷容量ｄ２は、電力設備に接続された負荷の容量を示す情報である。例えば「１００〜１５０アンペア」のように記憶される。
【００４７】
負荷情報ｅは、ｅ１〜ｅ３の情報を有する。
【００４８】
点検日時ｅ１は、電力設備の最新の点検日時を示す情報である。例えば「２０１７−０３−０１」のように記憶される。
【００４９】
点検内容ｅ２は、電力設備の最新の点検内容を示す情報である。例えば「消費電流、温度」のように記憶される。
【００５０】
点検結果ｅ３は、電力設備の最新の点検における点検結果を示す情報である。例えば「消費電流１２０アンペア、温度２０℃上昇」のように記憶される。
【００５１】
（２）電力監視装置１の作用
電力監視装置１は、中央監視装置２から新たに送信された故障情報ａに基づき、電力設備の故障を検出し、復旧支援情報ｎを出力するための装置である。電力監視装置１は、コンピュータにより構成され、故障原因判定部１４および優先順位算出部１５は、ソフトウェアモジュールにより構成される。これらの各ソフトウェアモジュールは、制御部１７内のコンピュータプログラムにより動作を制御される。
【００５２】
図２は故障原因判定部１４、図３は優先順位算出部１５にかかるコンピュータプログラムのフロー図である。故障原因判定部１４、優先順位算出部１５にかかるコンピュータプログラムは、制御部１７に内蔵されたコンピュータプログラムにより起動され各部の制御を行う。
【００５３】
（３）故障原因判定部１４の作用
（ステップＳ０１：中央監視装置２から電力設備の状態情報ｍを受信する）
故障原因判定部１４は、中央監視装置２から通信回線４を介して送信された、現在の電力設備の状態情報ｍを受信する。状態情報ｍは、制御部１７に制御され通信部１１により受信される。
【００５４】
状態情報ｍは、現在の電力設備の状態を示す情報である。状態情報ｍは、対象となる電力設備に関する故障情報ａ、設備情報ｂ、環境情報ｃ、負荷情報ｄ、点検情報ｅに相当する情報を含んでいる。
【００５５】
（ステップＳ０２：状態情報ｍに基づき故障であるか判断する）
故障原因判定部１４は、ステップ０１において受信した現在の電力設備の状態情報ｍに基づき、対象となる電力設備が故障であるかの判断を行う。具体的には、状態情報ｍ中の故障項目ａ２が、故障情報記憶部１２に記憶された、電力設備の過去の故障情報ａの故障項目ａ２と一致する故障案件が存在するかの判断を行う。
【００５６】
故障原因判定部１４は、電力設備の過去の故障情報ａの中に、一致する故障項目ａ２を有する故障案件が存在する場合は、故障であると判断する(ステップＳ０２の「故障」）。一方、一致する故障項目ａ２を有する故障案件が存在しない場合は、故障でないと判断する(ステップＳ０２の「正常」）。故障でないと判断された場合、プログラムを終了する。
【００５７】
（ステップＳ０３：過去の故障情報ａの故障項目ａ２と一致する故障案件を抽出する）
次に、故障原因判定部１４は、ステップ０２において故障であると判断した場合、ステップ０１において受信した現在の電力設備の状態情報ｍ中の故障項目ａ２が、電力設備の過去の故障情報ａの中の一致する故障項目ａ２を有する故障案件を抽出する。故障原因判定部１４は、例えば図４中の故障項目ａ２が一致する故障案件ＩＤ１、４、５、８を抽出する。
【００５８】
（ステップＳ０４：故障抽出情報ｋを出力する）
故障原因判定部１４は、一致する故障項目ａ２を有する過去の故障案件を、故障発生の時系列順に新たに故障抽出情報ｋとして作表し出力する。故障原因判定部１４は、例えば図４中の故障項目ａ２が一致する故障案件ＩＤ１、４、５、８を故障抽出情報ｋとして故障発生の時系列順に作表し出力する。故障抽出情報ｋは、過去の故障案件ごとの、故障情報ＩＤａ１、故障項目ａ２、故障原因ａ３、対象となる故障の対処方法ａ４を含む。その後、プログラムは終了となる。
【００５９】
（４）優先順位算出部１５の作用
（ステップＳ１１：故障原因判定部１４から故障抽出情報ｋおよび状態情報ｍを受信する）
最初に優先順位算出部１５は、故障原因判定部１４により出力された故障抽出情報ｋおよび状態情報ｍを受信する。
【００６０】
（ステップＳ１２：設備情報ｂ、環境情報ｃ、負荷情報ｄ、点検情報ｅを取得する）
次に優先順位算出部１５は、故障原因判定部１４により故障と判断された状態情報ｍを有する電力設備に関する設備情報ｂ、環境情報ｃ、負荷情報ｄ、点検情報ｅを系統情報記憶部１３から取得する。
【００６１】
（ステップＳ１３：対処スコアを算出する）
次に優先順位算出部１５は、故障原因判定部１４により出力された故障抽出情報ｋに含まれる各故障案件ＩＤ１、４、５、８の対処スコアを算出する。対処スコアは、対処方法の有効性の度合いを示すスコアである。
【００６２】
故障であると判断された状態情報ｍにかかる電力設備の設備情報ｂ、環境情報ｃ、負荷情報ｄ、点検情報ｅにかかる条件が近い過去の故障案件の対処方法が有効性の高い対処方法であることが想定される。したがって、過去の故障案件の設備情報ａ５、環境情報ａ６、負荷情報ａ７、点検情報ａ８と、故障であると判断された状態情報ｍにかかる電力設備の設備情報ｂ、環境情報ｃ、負荷情報ｄ、点検情報ｅの情報の類似度を数値化し、対処スコアとする。対処スコアの数値が高い過去の故障案件の対処方法を、優先的に作業者に提示する。作業者はこれにより有効な順に表記された対処方法に関する情報を得る。
【００６３】
具体的な対処スコアに算出方法は以下のとおりである。故障と判断された状態情報ｍにかかる電力設備に関する設備情報ｂ、環境情報ｃ、負荷情報ｄ、点検情報ｅと、故障原因判定部１４により出力された故障抽出情報ｋに含まれる各故障案件の情報ａ５、ａ６、ａ７、ａ８の一致する件数を計数し、対処スコアとする。
【００６４】
例えば、状態情報ｍにかかる電力設備の情報と、故障抽出情報ｋに含まれる故障案件ＩＤ１の情報のうちｂ４、ｃ２、ｃ３、ｄ２、ｅ３の５項目が一致するので、「５点」と算出される。また、例えば、状態情報ｍにかかる電力設備の情報と、故障抽出情報ｋに含まれる故障案件ＩＤ４の情報のうちｂ３、ｃ３、ｄ２の項目が一致するので、「３点」と算出される。
本実施形態では、設備情報ｂ、環境情報ｃ、負荷情報ｄ、点検情報ｅにかかる情報の一致数を対処スコアとしたが、対処スコアの算出方法はこれに限られない。例えば、ｂ１〜ｅ３の核情報には重みづけがされた配点がなされており、例えばｃ４が一致した場合３点、ｅ３が一致した場合５点のように算出されるようにしてもよい。
【００６５】
このように、優先順位算出部１５は、故障原因判定部１４により出力された故障抽出情報ｋに含まれる各故障案件につき対処スコアを算出する。この算出の様子を図５に示す。
【００６６】
（ステップＳ１４：対処スコアに基づき高得点順に過去の故障案件を配列する）
次に優先順位算出部１５は、故障原因判定部１４により対処スコアが算出された故障抽出情報ｋに含まれた各故障案件ＩＤ１、４、５、８を高得点順に配列する。
【００６７】
（ステップＳ１５：対処スコアに基づき復旧支援情報ｎを作成し出力する）
次に優先順位算出部１５は、ステップ１４にて高得点順に配列された故障抽出情報ｋに含まれた各故障案件につき、故障箇所ｎ１、原因箇所ｎ２、故障原因ｎ３、対処方法ｎ４の情報を付加し、復旧支援情報ｎを作成し、出力部１６から出力する。
【００６８】
この復旧支援情報ｎの一例を図６に示す。対処スコアが高得点であった順に各故障案件が表示される。また、対処スコアが高得点であった順に対処方法ｎ４が表示される。さらに故障箇所ｎ１、原因箇所ｎ２は、回路図上に図示され出力される。
【００６９】
［１−３．効果］
（１）本実施形態によれば、第１の記憶部１２に記憶された過去の故障情報に基づき、電力設備が故障であるかを判断し、故障であると判断した場合は、第１の記憶部１２に記憶された過去の故障情報の中の、一致する故障項目を有する故障案件の故障の対処方法を含む情報を抽出する故障原因判定部１４を有するので、作業者に対し、関連する復旧の支援となる情報を提示することができ、作業者は、作業者の熟練度によらず、統一された復旧手段により、故障時の対処を迅速に行うことができる。
【００７０】
（２）本実施形態によれば、故障原因判定部１４により抽出された故障案件の、第１の記憶部１２に記憶された、電力設備に関する情報と、故障原因判定部１４により故障であると判断された電力設備に関する、第２の記憶部１３から取得した電力設備に関する情報との類似度を数値化した対処スコアを算出し、算出された対処スコアの順に、過去の故障案件を配列する優先順位算出部１５を有するので、作業者に対し、対象となる故障に関連する順に配列された復旧の支援となる情報を提示することができ、作業者は、作業者の熟練度によらず、統一された復旧手段により、故障時の対処を迅速に行うことができる。
【００７１】
［他の実施形態］
変形例を含めた実施形態を説明したが、これらの実施形態は例として提示したものであって、発明の範囲を限定することを意図していない。これらの実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００７２】
（１）上記実施形態では、出力装置３は、表示装置を有し表示にて復旧支援情報ｎを表示するものとしたが、出力装置３の形態はこれに限られない。出力装置３は、音声や印刷にて復旧支援情報ｎを出力するようにしてもよい。
【００７３】
（２）上記実施形態では、故障情報記憶部１２に記憶される故障情報ａは、ａ１〜ａ８の情報としたが、故障情報ａは、ａ１〜ａ８の情報に限られない。ａ１〜ａ８の情報の一部でもよいし、他の項目を含んでもよい。
【００７４】
（３）上記実施形態では、故障情報ａは、「Ｘ号機、温度上昇」のように文章で記憶されるものとしたが、故障情報ａのデータ形式はこれに限られない。例えば故障情報ａはコードにより対象となる設備および故障状況を示すようにしてもよい。
【００７５】
（４）上記実施形態では、故障原因判定部１４は、故障抽出情報ｋを優先順位算出部１５に出力するものとしたが、出力部１６に出力し作業者に報知するようにしてもよい。
【符号の説明】
【００７６】
１・・・電力監視装置
２・・・中央監視装置
３・・・出力装置
４、５・・・通信回線
１１・・・通信部
１２・・・故障情報記憶部
１３・・・系統情報記憶部
１４・・・故障原因判定部
１５・・・優先順位算出部
１６・・・出力部
１７・・・制御部
【図１】
2018182947.tif 000003
【図２】
2018182947.tif 000004
【図３】
2018182947.tif 000005
【図４】
2018182947.tif 000006
【図５】
2018182947.tif 000007
【図６】
2018182947.tif 000008